(57)【要約】【課題】ウェブの長い経路長を短くして、テンションの変動を小さくし、見当ずれやダブり等の印刷不良を防止する。【解決手段】ウェブ９を印刷する一般的な印刷ユニット３ａと、多色刷り印刷が可能なカラー刷り印刷ユニット３ｂと、各ユニット３で印刷後に送られるウェブ９を折る折機５を有する輪転印刷機３１であって、折機５と一般的な印刷ユニット３ａがウェブ９の走行方向に沿って並列に設置されたユニット列の、その下流側に配置された折機５の近傍であって、ウェブ９の走行方向と略直角な方向にカラー刷り印刷ユニット３ｂをユニット列と同一床面３０上に配設し、ユニット列の上側に各ユニット３で印刷後のウェブ９の走行方向を略直角方向に変えるターンバー列部１４を設ける。【選択図】　　　図１
2004067378.tif 000002
【特許請求の範囲】
【請求項１】
ウェブを印刷する一般的な印刷ユニットと、多色刷り印刷が可能なカラー刷り印刷ユニットと、各ユニットから送られるウェブの折機を有する輪転印刷機において、カラー刷り印刷ユニットを、一般的な印刷ユニットと同一床面上であって折機の近傍に配設し、ユニット列の上側に各ユニットで印刷後のウェブの走行方向を変えるターンバー列部を設けたことを特徴とする輪転印刷機。
【発明の詳細な説明】
【０００１】
【発明の属する技術分野】
本発明は、新聞輪転機等を含む輪転印刷機において並設する印刷ユニット等の配置構造に関する。
【０００２】
【従来の技術】
従来の輪転印刷機の一例として、新聞輪転機を用いて説明する。
新聞輪転機に設けられるユニット類の配置には、種々の形式がある。図４（ａ），（ｂ）に示すＡ形式は、ウェブ９の走行方向に沿って一列に印刷ユニット３および折機５を配置しており、任意の場所にカラーページ等を設ける各種印刷仕様に対応するために、ウェブパス装置４にターンバー列部１４を設けると共に、折機５の前部に、例えば、図４に示すように、カラー刷り印刷ユニット（以下、タワーユニットともいう）３ｂ１、３ｂ２、３ｂ３を配置している。印刷ユニット３ａおよびカラー刷り印刷ユニット３ｂへウェブ９を供給する給紙装置１は、床面３０より低い階下部に設けられている。
【０００３】
図５（ａ），（ｂ）に示すＢ形式は、ウェブ９を供給する給紙装置１と印刷ユニット３を同一床面３０の上に配置している。この形式の輪転機においては、実用新案登録第２５５４０６２号に示す如く、一般的な印刷ユニット３ａを挟んで給紙装置１の反対側に片面カラー刷りユニット６を配置し、これを用いて、印刷ユニット３ａで片面墨刷り後のウェブ９に、もう一方の片面のカラー刷り印刷を可能にしている。
印刷ユニット３ａを両面４色刷りユニットに変更し、任意カラー面に対応しようとする場合、Ａ形式と同様の理由から両面４色刷りユニット３ｂ１、３ｂ２は、一点鎖線で示す位置が最適となる。
【０００４】
ウェブ９は、対応するそれぞれの印刷ユニット３で印刷された後、搬送、合流（集合）後、折機５で製品である折帳に形成され、図示しない排紙装置を介して外部に搬出される。
なお、新聞は同時多ページ印刷となるため、印刷ユニット３の数も３〜６ユニットと多く、印刷機全長が３０ｍに及ぶ場合もある。したがって、折機５へ搬送される各ウェブ経路長（搬送長さ）に大幅な差が生じる。
【発明が解決しようとする課題】
【０００５】
ウェブテンションＴは、下式の関係を有する。
Ｔ＝Ｅ×ε−Ｒ
（Ｔ：ウェブテンション　Ｅ：ヤング率＝ひずみ係数　ε：ひずみ率　Ｒ：走行抵抗）
両面４色刷り印刷ユニット３ｂでは、湿し水が増加するために、ヤング率Ｅが低下する。さらに、長い経路長の場合、ガイドローラ数が増加し、走行抵抗Ｒが増大する。従って、ウェブテンションＴは他の一般的な印刷ユニット３ａより低下するため、運転操作によりひずみ率εを増やして改善しようとしてもかなり無理がある。
例えば、図４において、各ウェブ９に対し等分に張力を付加させる折機５の入口のドラグローラ設備では、どうしてもタワーユニット３ｂ、特に経路長の長い３ｂ２出口部のウェブテンションが低くなる傾向がある。
【０００６】
このような従来の輪転印刷機は、以下の課題を有する。
（１）タワーユニット３ｂ出口部におけるテンションが総体的に低いうえに、上述の計算式におけるヤング率Ｅ、および走行抵抗Ｒは、運転速度、状態により変化して、テンションの変動を起す。ひいては、印刷胴の回転、印刷中のウェブ９に影響を及ぼし、見当ずれやダブリ等の印刷不良を発生させる要因となる。
（２）通常の印刷ユニットと比べて多くの印刷運転時調整を行う必要のあるタワーユニット３ｂが、オペレータの主操作位置である折機５の位置から遠いため、管理調整に要する時間がかかり、不具合に対する対応も遅れる。
【０００７】
本発明はこのような実情に鑑みてなされたものであって、その目的は、ウェブ９の長い経路長を短くして、テンションの変動を小さくし、見当ずれやダブり等の印刷不良を防止することにある。また、タワーユニット３ｂを折機５の近傍に設置して、オペレーターの管理作業の軽減と、より確実な管理作業を実現することにある。
【０００８】
【課題を解決するための手段】
本発明は、ウェブを印刷する一般的な印刷ユニットと、多色刷り印刷が可能なカラー刷り印刷ユニットと、各ユニットで印刷後に送られるウェブを折る折機を有する輪転印刷機において、カラー刷り印刷ユニットを一般的な印刷ユニットと同一床面上であって、折機の近傍に配置し、ユニット列の上部に各ユニットで印刷後のウェブの走行方向を変えるターンバー列部を設ける。
【０００９】
【発明の実施の形態】
以下に、本発明の実施の形態に係る輪転印刷機の一例である新聞輪転機について、図面を用いて説明する。なお、従来装置と共通する部品、部位については同一の符号を付して説明する。
【００１０】
図１および図２に示すように、新聞輪転機３１は、床面３０の下部に配設した給紙装置１、インフィード装置２、印刷ユニット３、ウェブパス装置４、折機５を含んで構成されている。印刷ユニット３には、一般的な印刷ユニット３ａ（３ａ１〜３ａ４）と、多色印刷ができるカラー刷り印刷ユニット３ｂ（３ｂ１〜３ｂ４）がある。
【００１１】
給紙装置１は、リールスタンド７に巻取紙８が装架され、印刷に伴う速度に対応して連続的にウェブ９を供給すべく構成されている。インフィード装置部２は、給紙装置１と印刷装置ユニット３の中間に設けられ、ウェブ９に所定のテンションを付加した状態で下流工程の印刷ユニット３に供給すべく構成されている。
【００１２】
印刷ユニット３は、図３（ｂ）に示すように、印刷装置１０（１０ａ〜１０ｄ）と、版胴１２と刷版１３を含んで構成される。印刷装置１０ａおよび１０ｂは、走行するウェブ９を挟んで互いに対向して設けられ、それぞれウェブ９の表と裏に印刷が行えるよう構成される。さらにウェブ９の走行方向に沿って並設した印刷装置１０ｃおよび１０ｄによって、インキ色を適宜に変えることにより、多色印刷を可能としている。
【００１３】
印刷ユニット３は、１台の輪転機にウェブ９の走行方向に沿って複数組が並設されている。各組ごとに印刷されたウェブ９は、ウェブパス装置４により合流させて重ね合わせた後、下流の折機５に搬入される。
ウェブパス装置４は、ウェブ９の速度等の移送状態を適宜にコントロールし、ウェブ９を折機５へ所定のタイミングで送り込むよう構成されている。また、任意のページにカラー面を設定する等の各種印刷仕様に対応させるために、ターンバー列部１４を設けてウェブ９の走行ルートが変えられるよう構成している。
折機５は、印刷ユニット３の下流側に配設され、ウェブ９を所定位置で切断や折り畳み等々の加工により折帳に形成した後、排紙装置を介し外部へ搬出するように構成されている。
【００１４】
カラー刷り印刷ユニット３ｂは、折機５の近傍であって、ウェブ９の走行方向と略直角な方向に配置して、ウェブ９の経路が短くなるように構成されている。また、印刷ユニット３の上側には、ターンバー列部１４が設けられており、カラー刷り印刷ユニット３ｂから送られるウェブ９の走行方向を略直角な方向に変えて、一般的な印刷ユニット３ａから送られるウェブ９と同一方向に集められるように構成されている。
なお、折機５の近傍とは、折機５に隣接する位の場所を示すが、たとえ隣接していなくても、本発明の目的であるウェブテンションの変動を小さくすることができる範囲で折機５に近い位置まで含むものとする。例えば、折機５から１ユニット分離れた場所であってもかまわない。
【００１５】
上記一連の輪転印刷機としての基本構成及び機能は、従来のものと同様である。なお、新聞輪転機には種々の駆動方式があるが、図３（ｂ）に一例を示すように、各構成ユニットにそれぞれ独立した単独モータ１１を取付け、相対的なタイミングを検知した上で全てを連動して駆動させる制御方法が一般的に用いられる。
【００１６】
本発明に係る輪転印刷機によれば、カラー刷り印刷ユニット３ｂを一般的な印刷ユニット３ａと同一床面３０上で、かつ一般的な印刷ユニット３ａを並設したメインライン部の側部、折機５の近傍に配置させているので、次のような効果を奏する。
（１）各印刷ユニットから送り出されるウェブルート（走行紙経路）長の差を少なくできるため、ウェブテンション（張力）が低下するのを防止すると共に、該ウェブテンションのバラツキが減少する。特に、加速及び減速時における変動が少なくなり、多色刷りの色合わせが容易で、見当ずれ、ダブリ等の印刷品質不良による損紙が減少できる。
（２）任意面カラー等の各種印刷仕様に容易に対応できると共に、ターンバー列部のターンバー通過回数が減り、走行抵抗を減少させる。
（３）オペレーターの主操作位置に近接してタワーユニット３ｂを配置されるので、操作性、作業性が向上する。また、管理調整等に伴う時間の大幅な短縮が図れると共に、より確実な管理調整作業を行なうことができる。
（４）カラー刷り印刷ユニット３ｂを一般的な印刷ユニット３ａ群近傍の側部空間へ配置するため、建屋の増設無しで増設工事を行なうことができ、工事費の低減が図れる。
（５）また、折機の近傍に印刷ユニット群３ａ，３ｂを配置する本機械構成では、ラインシャフトによる駆動方式を用いると駆動系が複雑になり、部品点数も増えるが、独立した単独駆動モータ制御による駆動方式を用いると、駆動系が簡素になり、工事費の低減が図れる。
【００１７】
【発明の効果】
本発明では、ウェブを印刷する一般的な印刷ユニットと、多色刷り印刷が可能なカラー刷り印刷ユニットと、各ユニットで印刷後に送られるウェブを折る折機を有する輪転印刷機であって、折機と一般的な印刷ユニットがウェブの走行方向に沿って並列に設置されたユニット列の、その下流側に配置された折機の近傍であって、ウェブの走行方向と略直角な方向にカラー刷り印刷ユニットを前記ユニット列と同一床面上に配設し、ユニット列の上部に各ユニットで印刷後のウェブの走行方向を略直角方向に変えるターンバー列部を設けたことにより、ウェブの長い経路長を短くして、テンションの変動を小さくし、見当ずれやダブり等の印刷不良を防止することができる。また、カラー刷り印刷ユニットを折機の近傍に設置して、オペレーターの管理作業の軽減と、より確実な管理作業を実現することができる。
【図面の簡単な説明】
【図１】本発明の実施の形態に係る新聞輪転機の平面図であって、印刷ユニットおよび折機の配置を示す図である。
【図２】本発明の実施の形態に係る新聞輪転機の、図１の正面図である。
【図３】（ａ）は本発明の実施の形態に係る新聞輪転機の基本構成図、（ｂ）は（ａ）のＧ部の詳細説明図である。
【図４】従来の新聞輪転機（Ａ形式）を表す図であって、（ａ）は印刷ユニットおよび折機の配置を示す平面図、（ｂ）は（ａ）の正面図である。
【図５】従来の輪転印刷機（Ｂ形式）を表す図であって、（ａ）は印刷ユニットおよび折機の配置を示す平面図、（ｂ）は（ａ）の正面図である。
【符号の説明】
１　給紙装置
２　インフィード装置
３　印刷ユニット
３ａ　一般的な印刷ユニット
３ｂ　カラー刷り印刷ユニット（タワーユニット）
４　ウェブパス装置
５　折機
６　片面カラー刷りユニット
７　リールスタンド
８　巻取紙
９　ウェブ
１０　印刷装置
１１　単独モータ
１２　版胴
１３　刷版
１４　ターンバー列部
３１　新聞輪転機（輪転印刷機）
【図１】
2004067378.tif 000003
【図２】
2004067378.tif 000004
【図３】
2004067378.tif 000005
【図４ａ】
2004067378.tif 000006
【図４ｂ】
2004067378.tif 000007
【図５ａ】
2004067378.tif 000008
【図５ｂ】
2004067378.tif 000009